(57)【要約】【課題】多機能になっても操作が容易であり、表示エリアを従来よりも広くすることができる試験装置及び試験方法を提供する。【解決手段】試験装置１は、アプリケーションを選択するアプリケーション選択画面、選択したアプリケーションによる試験条件を設定する試験条件設定画面及び選択したアプリケーションによる試験結果を表示する試験結果表示画面を含む画面を表示する表示部１２と、表示部１２に表示された画面を操作する操作部１１と、操作部１１の操作に基づいて、アプリケーション選択画面を含む第１階層画面と、試験条件設定画面及び試験結果表示画面を含む第２階層画面とを切り替える階層間画面切替部２１ａと、第２階層画面に含まれる画面を切り替える階層内画面切替部２１ｂと、を備える。【選択図】図１
2015158764.tif 000002
【特許請求の範囲】
【請求項１】
試験対象である電子機器（２）を所定のアプリケーションを実行して試験する試験装置（１）であって、
前記アプリケーションを選択するアプリケーション選択画面（４１）、選択したアプリケーションによる試験条件を設定する試験条件設定画面（４３）及び選択したアプリケーションによる試験結果を表示する試験結果表示画面（４４）を含む画面を表示する表示手段（１２）と、
前記表示手段に表示された画面を操作する操作手段（１１）と、
前記操作手段の操作に基づいて、前記アプリケーション選択画面を含む第１階層画面と、前記試験条件設定画面及び前記試験結果表示画面を含む第２階層画面とを切り替える階層間画面切替手段（２１ａ）と、
前記第２階層画面に含まれる画面を切り替える階層内画面切替手段（２１ｂ）と、
を備えたことを特徴とする試験装置。
【請求項２】
前記試験対象がネットワーク機器であって、
前記表示手段が、前記ネットワーク機器を試験するアプリケーションを選択するアプリケーション選択画面（５１）を表示するものであることを特徴とする請求項１に記載の試験装置。
【請求項３】
前記試験対象が携帯端末であって、
前記表示手段が、前記携帯端末を試験するアプリケーションを選択するアプリケーション選択画面（６１）を表示するものであることを特徴とする請求項１に記載の試験装置。
【請求項４】
試験対象である電子機器を所定のアプリケーションを実行して試験する試験方法であって、
前記アプリケーションを選択するアプリケーション選択画面（４１）、選択したアプリケーションによる試験条件を設定する試験条件設定画面（４３）及び選択したアプリケーションによる試験結果を表示する試験結果表示画面（４４）を含む画面を表示する表示ステップ（Ｓ１１、Ｓ１５、Ｓ１７）と、
前記表示ステップに表示された画面を操作する操作ステップ（Ｓ１２）と、
前記操作ステップの操作に基づいて、前記アプリケーション選択画面を含む第１階層画面と、前記試験条件設定画面及び前記試験結果表示画面を含む第２階層画面とを切り替える階層間画面切替ステップ（Ｓ１５）と、
前記第２階層画面に含まれる画面を切り替える階層内画面切替ステップ（Ｓ１７）と、
を含むことを特徴とする試験方法。
【発明の詳細な説明】
【技術分野】
【０００１】
本発明は、電子機器を試験する試験装置及び試験方法に関する。
【背景技術】
【０００２】
近年、携帯電話機やＰＤＡ端末等の電子機器は多機能化が進んでいる。それに伴って試験装置も多機能化が進み、それらの機能を実現するために複雑な構成のハードウェアが実装されている。試験装置が多機能化すると、試験条件の設定や試験結果の表示等を行う際のキー操作が煩雑となるので、それを改善するものが提案されている（例えば、特許文献１参照）。
【０００３】
特許文献１に記載のものは、メニュー画面において所定の項目を選択するメニュー選択装置と、試験条件等を入力する専用入力装置とを備えている。メニュー選択装置及び専用入力装置は、それぞれ、複数のボタンで構成されている。これら複数のボタンは、パネル表面に設けられた表示装置を包囲するように配置されている。
【先行技術文献】
【特許文献】
【０００４】
【特許文献１】特許４００６２７９号公報
【発明の概要】
【発明が解決しようとする課題】
【０００５】
しかしながら、特許文献１に記載のものでは、利用者が操作する複数のボタンが、パネル表面に設けられた表示装置を包囲するように配置されているので、表示装置の表示エリア自体が狭くなり、表示内容の視認性に乏しいという課題があった。
【０００６】
本発明は、従来の課題を解決するためになされたものであり、多機能になっても操作が容易であり、表示エリアを従来よりも広くすることができる試験装置及び試験方法を提供することを目的とする。
【課題を解決するための手段】
【０００７】
本発明の請求項１に係る試験装置は、試験対象である電子機器（２）を所定のアプリケーションを実行して試験する試験装置（１）であって、前記アプリケーションを選択するアプリケーション選択画面（４１）、選択したアプリケーションによる試験条件を設定する試験条件設定画面（４３）及び選択したアプリケーションによる試験結果を表示する試験結果表示画面（４４）を含む画面を表示する表示手段（１２）と、前記表示手段に表示された画面を操作する操作手段（１１）と、前記操作手段の操作に基づいて、前記アプリケーション選択画面を含む第１階層画面と、前記試験条件設定画面及び前記試験結果表示画面を含む第２階層画面とを切り替える階層間画面切替手段（２１ａ）と、前記第２階層画面に含まれる画面を切り替える階層内画面切替手段（２１ｂ）と、を備えた構成を有している。
【０００８】
この構成により、本発明の請求項１に係る試験装置は、第１階層画面でアプリケーションを選択した後の試験実行中は、第２階層画面内の画面遷移を行うだけになるので、従来よりも操作が簡潔で分かりやすくなり、多機能になっても操作が容易となる。
【０００９】
また、この構成により、本発明の請求項１に係る試験装置は、従来のもののように、利用者が操作する複数のボタンを配置する必要がないので、表示エリアを従来よりも広くできる。
【００１０】
本発明の請求項２に係る試験装置は、前記試験対象がネットワーク機器であって、前記表示手段が、前記ネットワーク機器を試験するアプリケーションを選択するアプリケーション選択画面（５１）を表示するものである構成を有している。
【００１１】
この構成により、本発明の請求項２に係る試験装置は、試験対象がネットワーク機器である場合においても、多機能になっても操作が容易であり、表示エリアを従来よりも広くすることができる。
【００１２】
本発明の請求項３に係る試験装置は、前記試験対象が携帯端末であって、前記表示手段が、前記携帯端末を試験するアプリケーションを選択するアプリケーション選択画面（６１）を表示するものである構成を有している。
【００１３】
この構成により、本発明の請求項３に係る試験装置は、試験対象が携帯端末である場合においても、多機能になっても操作が容易であり、表示エリアを従来よりも広くすることができる。
【００１４】
本発明の請求項４に係る試験方法は、試験対象である電子機器を所定のアプリケーションを実行して試験する試験方法であって、前記アプリケーションを選択するアプリケーション選択画面（４１）、選択したアプリケーションによる試験条件を設定する試験条件設定画面（４３）及び選択したアプリケーションによる試験結果を表示する試験結果表示画面（４４）を含む画面を表示する表示ステップ（Ｓ１１、Ｓ１５、Ｓ１７）と、前記表示ステップに表示された画面を操作する操作ステップ（Ｓ１２）と、前記操作ステップの操作に基づいて、前記アプリケーション選択画面を含む第１階層画面と、前記試験条件設定画面及び前記試験結果表示画面を含む第２階層画面とを切り替える階層間画面切替ステップ（Ｓ１５）と、前記第２階層画面に含まれる画面を切り替える階層内画面切替ステップ（Ｓ１７）と、を含む構成を有している。
【００１５】
この構成により、本発明の請求項４に係る試験方法は、第１階層画面でアプリケーションを選択した後の試験実行中は、第２階層画面内の画面遷移を行うだけになるので、従来よりも操作が簡潔で分かりやすくなり、多機能になっても操作が容易となる。
【００１６】
また、この構成により、本発明の請求項４に係る試験方法は、従来のもののように、利用者が操作する複数のボタンを配置する必要がないので、表示エリアを従来よりも広くできる。
【発明の効果】
【００１７】
本発明は、多機能になっても操作が容易であり、表示エリアを従来よりも広くすることができるという効果を有する試験装置及び試験方法を提供することができるものである。
【図面の簡単な説明】
【００１８】
【図１】本発明の一実施形態における試験装置のブロック構成図である。
【図２】本発明の一実施形態において、階層間画面切替部及び階層内画面切替部の機能についての概念的な説明図である。
【図３】本発明の一実施形態において、試験対象機器がネットワーク機器である場合のアプリケーション選択画面を示す図である。
【図４】本発明の一実施形態において、試験対象機器がネットワーク機器である場合の試験信号設定画面を示す図である。
【図５】本発明の一実施形態において、試験対象機器がネットワーク機器である場合の試験条件設定画面を示す図である。
【図６】本発明の一実施形態において、試験対象機器がネットワーク機器である場合の試験結果表示画面を示す図である。
【図７】本発明の一実施形態において、試験対象機器がネットワーク機器である場合のレポート作成画面を示す図である。
【図８】本発明の一実施形態において、試験対象機器がネットワーク機器である場合の試験条件設定画面の変形例を示す図である。
【図９】本発明の一実施形態において、試験対象機器が携帯端末である場合のアプリケーション選択画面を示す図である。
【図１０】本発明の一実施形態において、試験対象機器が携帯端末である場合の試験信号設定画面を示す図である。
【図１１】本発明の一実施形態において、試験対象機器が携帯端末である場合の試験条件設定画面を示す図である。
【図１２】本発明の一実施形態において、試験対象機器が携帯端末である場合の試験結果表示画面を示す図である。
【図１３】本発明の一実施形態における試験装置のフローチャートである。
【発明を実施するための形態】
【００１９】
以下、本発明の実施形態について図面を用いて説明する。
【００２０】
まず、本実施形態における試験装置の構成について説明する。
【００２１】
図１に示すように、本実施形態における試験装置１は、試験対象機器２を試験するものであって、タッチパネル１０、表示操作制御装置２０、試験制御装置３０を備えている。
【００２２】
試験装置１は、図示しないＣＰＵ（Central Processing Unit）と、ＲＯＭ（Read Only Memory）と、ＲＡＭ（Random Access Memory）と、各種インタフェースが接続される入出力回路等を備えたマイクロコンピュータを含む。試験装置１は、ＲＯＭに予め格納された制御プログラムを実行させることにより、マイクロコンピュータを、タッチパネル１０、表示操作制御装置２０、試験制御装置３０等の機能部として機能させるようになっている。
【００２３】
タッチパネル１０は、試験者のタッチ操作に応じて操作信号を出力する操作手段としての操作部１１と、この操作部１１に重ねて配置され、液晶ディスプレイからなる表示手段としての表示部１２と、を備えている。操作部１１は、タッチ操作を検出すると操作位置を示す操作信号を表示操作制御装置２０に出力するようになっている。表示部１２は、表示操作制御装置２０からの表示制御信号に基づいて所定の画面を表示する表示制御を実行するようになっている。
【００２４】
表示操作制御装置２０は、タッチパネル１０に対して所定の表示画面を表示する制御やタッチ操作に関する制御を実行するものであって、表示画面制御部２１、アプリケーション選択画面制御部２２、試験信号設定画面制御部２３、試験条件設定画面制御部２４、試験結果表示画面制御部２５、レポート作成画面制御部２６を備えている。この表示操作制御装置２０は、設定情報記憶部２７及び試験結果情報記憶部２８に接続されている。
【００２５】
アプリケーション選択画面制御部２２は、複数のアプリケーションソフトウェア（以下、単に「アプリケーション」という）の中から試験者に所望のアプリケーションを選択させるためのアプリケーション選択画面を表示する表示制御信号を表示部１２に出力することによって表示制御を行うようになっている。
【００２６】
試験信号設定画面制御部２３は、試験者が選択したアプリケーションを実行する試験において、試験対象機器２に出力する試験信号を設定するための試験信号設定画面を表示する表示制御信号を表示部１２に出力することによって表示制御を行うようになっている。
【００２７】
試験条件設定画面制御部２４は、試験者が選択したアプリケーションを実行する試験において、試験条件を設定するための試験条件設定画面を表示する表示制御信号を表示部１２に出力することによって表示制御を行うようになっている。
【００２８】
試験結果表示画面制御部２５は、試験者が選択したアプリケーションを実行する試験において、試験結果を表示するための試験結果表示画面を表示する表示制御信号を表示部１２に出力することによって表示制御を行うようになっている。
【００２９】
レポート作成画面制御部２６は、試験者が選択したアプリケーションを実行する試験において、試験結果の情報を含むレポートを作成するためのレポート作成画面を表示する表示制御信号を表示部１２に出力することによって表示制御を行うようになっている。
【００３０】
設定情報記憶部２７は、表示操作制御装置２０が有する各画面制御部が表示部１２に表示した各画面において試験者に設定、選択等をさせる情報、試験者がタッチパネル１０を操作して設定、選択等を行った情報、試験に関する情報を説明するためのヘルプ情報等を記憶するようになっている。
【００３１】
試験結果情報記憶部２８は、試験対象機器２に対して行った試験結果の情報を記憶するようになっている。
【００３２】
表示画面制御部２１は、タッチパネル１０に表示する画面を階層化するようになっている。具体的には、表示画面制御部２１は、アプリケーション選択画面及びレポート作成画面を第１階層画面とし、信号設定画面、試験条件設定画面及び試験結果表示画面を含む第２階層画面とする階層化を行うようになっている。
【００３３】
この表示画面制御部２１は、階層間画面切替手段としての階層間画面切替部２１ａと、階層内画面切替手段としての階層内画面切替部２１ｂと、を備えている。階層間画面切替部２１ａは、操作部１１の操作に基づいて、第１階層画面と第２階層画面とを切り替えるようになっている。階層内画面切替部２１ｂは、第１階層画面及び第２階層画面に含まれる各画面をそれぞれの階層内で切り替えるようになっている。
【００３４】
ここで、階層間画面切替部２１ａ及び階層内画面切替部２１ｂの機能について図２に示す概念図を用いて説明する。
【００３５】
図２には、アプリケーション選択画面４１、試験信号設定画面４２、試験条件設定画面４３、試験結果表示画面４４、レポート作成画面４５が示されている。ここで、アプリケーション選択画面４１及びレポート作成画面４５は第１階層画面としている。また、試験信号設定画面４２、試験条件設定画面４３及び試験結果表示画面４４は第２階層画面としている。
【００３６】
第１階層画面は、アプリケーション選択画面４１を必ず含む画面であって、比較的使用頻度の低い画面で構成される。本実施形態では、通常、試験終了後に使用されるため比較的使用頻度の低いレポート作成画面４５を第１階層画面に含ませている。
【００３７】
一方、第２階層画面は、アプリケーション選択画面４１において選択されたアプリケーション固有の機能に関する画面を含む画面であって、比較的使用頻度の高い画面を含む。本実施形態では、試験信号設定画面４２、試験条件設定画面４３及び試験結果表示画面４４を含む構成としている。第２階層画面に含まれる各画面の内容は、選択されたアプリケーションに応じて変化する。この構成により、試験者は、第１階層画面でアプリケーションを選択した後の試験実行中は、第２階層画面内の画面遷移を行うだけになる。
【００３８】
階層間画面切替部２１ａは、図中の黒い矢印で示す方向に、第１階層画面と第２階層画面とを切り替えるようになっている。具体的には、階層間画面切替部２１ａは、アプリケーション選択画面４１と試験信号設定画面４２との間、アプリケーション選択画面４１と試験条件設定画面４３との間、レポート作成画面４５と試験結果表示画面４４との間において画面を切り替える機能を有する。
【００３９】
一方、階層内画面切替部２１ｂは、図中の白抜きの矢印で示す方向に、すなわち、同じ階層内で、画面を切り替えるようになっている。具体的には、階層内画面切替部２１ｂは、第１階層においては、アプリケーション選択画面４１とレポート作成画面４５とを切り替える機能を有する。また、階層内画面切替部２１ｂは、第２階層においては、試験信号設定画面４２と試験条件設定画面４３との間、試験条件設定画面４３と試験結果表示画面４４との間、試験結果表示画面４４と試験信号設定画面４２との間において画面を切り替える機能を有する。
【００４０】
前述の構成により、表示画面制御部２１は、２回以下の遷移で目的の画面を表示させることができる。例えば、図示のように、試験信号設定画面４２がタッチパネル１０に表示されている場合において、表示画面制御部２１は、アプリケーション選択画面４１、試験条件設定画面４３及び試験結果表示画面４４をそれぞれ１回の遷移で表示させることができる。また、表示画面制御部２１は、レポート作成画面４５を、アプリケーション選択画面４１又は試験結果表示画面４４を経由して２回の遷移で表示させることができる。
【００４１】
図１に戻り、試験制御装置３０は、アプリケーション部３１、信号送信部３２、信号受信部３３を備え、試験対象機器２に接続されている。
【００４２】
アプリケーション部３１は、試験対象機器２を試験するための複数のアプリケーションを有し、試験者が選択したアプリケーションを実行して所定の試験を行うようになっている。
【００４３】
信号送信部３２は、試験信号設定画面４２において試験者が設定した情報に基づいて試験信号を生成し、試験対象機器２に送信するようになっている。
【００４４】
信号受信部３３は、試験対象機器２が試験信号に対応して送信した信号を受信し、所定の処理を行ってアプリケーション部３１に出力するようになっている。
【００４５】
信号送信部３２及び信号送信部３２は、例えば、イーサネット（登録商標）などの通信規格に基づいて試験対象機器２に対してフレームデータを送受信するようになっている。フレームデータは、所定数のパケットに分割される。各パケットは、宛先や送信元に関する情報を含むヘッダと、試験情報を含むペイロードとを有する。
【００４６】
次に、表示操作制御装置２０が有する各画面制御部が表示部１２に表示する各画面を、試験対象機器２がネットワーク機器である場合と、携帯端末である場合とについて、以下に具体例を挙げて説明する。試験対象機器２がネットワーク機器である場合は、本実施形態における試験装置１は、ネットワーク試験装置として機能する。ネットワーク機器としては、例えば、ルータ、スイッチングハブ、伝送装置などがある。また、試験対象機器２が携帯端末である場合は、本実施形態における試験装置１は、携帯端末試験装置として機能する。
【００４７】
（１）試験対象機器２がネットワーク機器である場合について、図３〜図８を用いて説明する。
【００４８】
［アプリケーション選択画面］
図３は、第１階層に属するアプリケーション選択画面５１の一例を示している。この例では、３つの規格についてＢＥＲ（Bit Error Rate：ビット誤り率）を試験するためのアプリケーションが表示されている。例えば、試験者がＥｔｈｅｒｎｅｔ（イーサネット）（登録商標）の文字が含まれる表示領域を指先でタッチすることにより、Ｅｔｈｅｒｎｅｔ規格でのＢＥＲを試験するためのアプリケーションが選択される。以下、Ｅｔｈｅｒｎｅｔ規格でのＢＥＲの試験を行うアプリケーションが選択されたものとして説明する。
【００４９】
また、アプリケーション選択画面５１には、試験信号設定ボタン５１１、試験条件設定ボタン５１２、左矢印ボタン５１３、右矢印ボタン５１４、試験実行ボタン５１５、ヘルプボタン５１６が表示されている。
【００５０】
試験信号設定ボタン５１１がタッチされると、第２階層の試験信号設定画面５２（図４参照）が表示される。試験条件設定ボタン５１２がタッチされると、第２階層の試験条件設定画面５３（図５参照）が表示される。左矢印ボタン５１３又は右矢印ボタン５１４がタッチされると、同階層（第１階層）のレポート作成画面５５（図７参照）が表示される。試験実行ボタン５１５がタッチされると、アプリケーション部３１が、試験者が選択したアプリケーションを実行する。ヘルプボタン５１６がタッチされると、ネットワーク機器の試験に関する情報を説明するためのヘルプ情報が表示部１２に表示される。なお、本実施形態では、試験実行ボタン５１５及びヘルプボタン５１６は、各画面に表示されるものとしているので、以下では、その説明を省略する。
【００５１】
［試験信号設定画面］
図４は、第２階層に属する試験信号設定画面５２の一例を示している。この例では、ＢＥＲ測定において、ビットレートを４０Ｇｂｐｓ、測定パターンをＰＲＢＳ（Pseudo Random Bit Sequence:疑似ランダムパターン）の７ビット長に設定した画面を示している。ビットレート及び測定パターンは、それぞれ、プルダウンメニューボタン５２１及び５２２で設定が行えるようになっている。
【００５２】
図４に示した試験信号設定画面５２において、左矢印ボタン５２３がタッチされると、同階層（第２階層）の試験結果表示画面５４（図６参照）が表示される。右矢印ボタン５２４がタッチされると、同階層（第２階層）の試験条件設定画面５３（図５参照）が表示される。アプリケーション選択ボタン５２５がタッチされると、第１階層のアプリケーション選択画面５１（図３参照）が表示される。
【００５３】
［試験条件設定画面］
図５は、第２階層に属する試験条件設定画面５３の一例を示している。この例では、ＢＥＲ測定において、試験結果を何秒おきに出すかを設定する時間長（Interval Length）を５秒に設定した画面を示している。この時間長は、プルダウンメニューボタン５３１で設定が行えるようになっている。
【００５４】
図５に示した試験条件設定画面５３において、左矢印ボタン５３２がタッチされると、同階層（第２階層）の試験信号設定画面５２（図４参照）が表示される。右矢印ボタン５３３がタッチされると、同階層（第２階層）の試験結果表示画面５４（図６参照）が表示される。アプリケーション選択ボタン５３４がタッチされると、第１階層のアプリケーション選択画面５１（図３参照）が表示される。
【００５５】
［試験結果表示画面］
図６は、第２階層に属する試験結果表示画面５４の一例を示している。この例では、ＢＥＲ測定において、ビットエラーが"３"であったことを示している。これは、５秒間（図５参照）で３ビットのエラーが発生したことを示す。
【００５６】
図６に示した試験結果表示画面５４において、左矢印ボタン５４２がタッチされると、同階層（第２階層）の試験条件設定画面５３（図５参照）が表示される。右矢印ボタン５４３がタッチされると、同階層（第２階層）の試験信号設定画面５２（図４参照）が表示される。レポート作成ボタン５４４がタッチされると、第１階層のレポート作成画面５５（図３参照）が表示される。
【００５７】
［レポート作成画面］
図７は、第１階層に属するレポート作成画面５５の一例を示している。この例では、ＢＥＲ測定のレポートを作成するためのＯＫボタン５５１が示されている。
【００５８】
図７に示したレポート作成画面５５において、試験者がＯＫボタン５５１をタッチするとレポートが作成される。信号結果ボタン５５２がタッチされると、第２階層の試験結果表示画面５４（図６参照）が表示される。左矢印ボタン５５３又は右矢印ボタン５５４がタッチされると、同階層（第１階層）のアプリケーション選択画面５１（図３参照）が表示される。
【００５９】
次に、表示画面の変形例について図８を用いて説明する。図８に示した試験条件設定画面５６には、画面の表示領域の一部に、画面位置表示エリア５６ａが設けられている。画面位置表示エリア５６ａには、図２に示した全画面の配置図（矢印の図示は省略）が描かれており、現在選択されて表示されている画面、すなわち、試験条件設定画面５６の位置が他画面と識別して示されている。試験者は、この画面位置表示エリア５６ａを見ることにより、現在選択されて表示されている画面の確認や、画面間の移動可能方向等の情報を容易に取得することができる。なお、この変形例においては、画面位置表示エリアが、試験条件設定画面５６のみではなく、すべての表示画面に表示される。
【００６０】
（２）試験対象機器２が携帯端末である場合について、図９〜図１２を用いて説明する。この場合、図１に示した信号送信部３２は、ベースバンド周波数の信号を無線周波数の信号に変換して携帯端末に送信する構成を有する。また、信号受信部３３は、無線周波数の信号をベースバンド周波数の信号に変換する構成を有する。なお、前述した試験対象機器２がネットワーク機器である場合と同様な構成には同一の符号を付してその説明を省略する。
【００６１】
［アプリケーション選択画面］
図９は、第１階層に属するアプリケーション選択画面６１の一例を示している。この例では、３つの通信規格であるＬＴＥ、Ｗ−ＣＤＭＡ及びＧＳＭ（登録商標）についてＢＥＲを試験するためのアプリケーションが表示されている。例えば、試験者がＬＴＥの文字が含まれる表示領域を指先でタッチすることにより、ＬＴＥ通信規格でのＢＥＲを試験するためのアプリケーションが選択される。以下、ＬＴＥ通信規格でのＢＥＲの試験を行うアプリケーションが選択されたものとして説明する。
【００６２】
［試験信号設定画面］
図１０は、第２階層に属する試験信号設定画面６２の一例を示している。この例では、ＢＥＲ測定において、信号周波数を２．１０００ＧＨｚに、測定パターンをＰＮ７にそれぞれ設定した場合を示している。信号周波数は、信号周波数設定枠６２１に表示されている。信号周波数の値は、例えばキーボードによって入力される構成となっている。測定パターンは、プルダウンメニューボタン６２２によって設定が行われるようになっている。
【００６３】
［試験条件設定画面］
図１１は、第２階層に属する試験条件設定画面６３の一例を示している。この例では、ＢＥＲ測定において、測定ビット数の入力枠６３１と、測定エラービット数の入力枠６３２が表示されている。
【００６４】
［試験結果表示画面］
図１２は、第２階層に属する試験結果表示画面６４の一例を示している。この例では、ＢＥＲ測定において、ＢＥＲの結果をパーセント表示で示すＢＥＲ結果枠６４１が表示されている。
【００６５】
［レポート作成画面］
試験対象機器２が携帯端末である場合のレポート作成画面は、前述した試験対象機器２がネットワーク機器である場合の画面（図７参照）と同じであるので説明を省略する。
【００６６】
次に、本実施形態における試験装置１の動作について図１３を中心に説明する。なお、試験対象機器２はネットワーク機器であるとする。
【００６７】
アプリケーション選択画面制御部２２は、アプリケーション選択画面５１（図３参照）をタッチパネル１０の表示部１２に表示する（ステップＳ１１）。
【００６８】
表示画面制御部２１は、タッチパネル１０の操作部１１からの操作信号に基づいて、画面操作があったか否かを判断する（ステップＳ１２）。
【００６９】
具体的には、図３において、例えば、Ｅｔｈｅｒｎｅｔの文字が含まれる表示領域を試験者が指先でタッチした場合、操作部１１はその旨を示す信号を表示画面制御部２１に出力する。この場合、表示画面制御部２１は、アプリケーション選択画面５１において画面操作があったと判断し、Ｅｔｈｅｒｎｅｔのアプリケーションが選択されたことがわかる。表示画面制御部２１は、選択されたアプリケーションを示す信号をアプリケーション部３１に出力する。アプリケーション部３１は、選択されたアプリケーションのプログラムをメモリにロードする。
【００７０】
ステップ１２において、画面操作があったと判断した場合は、表示画面制御部２１は、試験を開始するか否かを判断し（ステップＳ１３）、画面操作があったと判断しなかった場合は、ステップ１２の処理を繰り返す。
【００７１】
具体的には、図３に示したアプリケーション選択画面５１において、試験実行ボタン５１５がタッチされた場合、操作部１１はその旨を示す信号を表示画面制御部２１に出力する。この場合、表示画面制御部２１は、試験者により試験開始の指示が出されたことがわかり、ステップＳ１３において試験を開始すると判断する。ここで、試験で用いる試験信号やその他の試験条件等を既定値としてアプリケーションごとに予め決めておいて選択されたアプリケーションにより試験を行う設定としてもよいし、試験で用いる試験信号やその他の試験条件等が決定されていない場合は試験実行ボタン５１５がタッチされても試験を開始しない構成としてもよい。
【００７２】
ステップＳ１３において、試験を開始すると判断しなかった場合は、表示画面制御部２１は、階層間切り替えの指示があったか否かを判断する（ステップＳ１４）。
【００７３】
具体的には、例えば、図３において、表示画面制御部２１は、試験信号設定ボタン５１１又は試験条件設定ボタン５１２がタッチされたことを示す信号を操作部１１から入力した場合は、階層間切り替えの指示があったと判断する。
【００７４】
ステップＳ１４において、階層間切り替えの指示があったと判断した場合は、階層間画面切替部２１ａは、階層間で画面を切り替える処理を実行する（ステップＳ１５）。なお、このステップＳ１５においては、各画面が表示部１２に表示されることとなる。すなわち、ステップＳ１５は、本発明に係る表示ステップに対応する。
【００７５】
具体的には、例えば、図３において、階層間画面切替部２１ａは、試験信号設定ボタン５１１がタッチされたことを示す信号を操作部１１から入力した場合は、現在表示されているアプリケーション選択画面５１から試験信号設定画面５２（図４参照）に切り替えるよう試験信号設定画面制御部２３に制御信号を出力する。この場合、試験信号設定画面制御部２３は、試験信号設定画面５２を表示部１２に表示する表示制御を実行する。
【００７６】
ステップＳ１４において、階層間切り替えの指示があったと判断しなかった場合は、表示画面制御部２１は、階層内切り替えの指示があったか否かを判断する（ステップＳ１６）。具体的には、例えば、図４に示した試験信号設定画面５２において、表示画面制御部２１は、左矢印ボタン５２３又は右矢印ボタン５２４がタッチされたことを示す信号を操作部１１から入力した場合は、階層内切り替えの指示があったと判断する。
【００７７】
ステップＳ１６において、階層内切り替えの指示があったと判断した場合は、階層内画面切替部２１ｂは、階層内で画面を切り替える処理を実行する（ステップＳ１７）。なお、このステップＳ１７においては、各画面が表示部１２に表示されることとなる。すなわち、ステップＳ１７は、本発明に係る表示ステップに対応する。
【００７８】
ここで、階層内画面切替部２１ｂは、左矢印ボタン５２３がタッチされたことを示す信号を操作部１１から入力した場合は、現在表示されている試験信号設定画面５２から試験結果表示画面５４（図６参照）に切り替えるよう試験結果表示画面制御部２５に制御信号を出力する。この場合、試験結果表示画面制御部２５は、試験結果表示画面５４を表示部１２に表示する表示制御を実行する。
【００７９】
一方、階層内画面切替部２１ｂは、右矢印ボタン５２４がタッチされたことを示す信号を操作部１１から入力した場合は、現在表示されている試験信号設定画面５２から試験条件設定画面５３（図５参照）に切り替えるよう試験条件設定画面制御部２４に制御信号を出力する。この場合、試験条件設定画面制御部２４は、試験条件設定画面５３を表示部１２に表示する表示制御を実行する。
【００８０】
ステップＳ１６において、階層内切り替えの指示があったと判断しなかった場合は、表示画面制御部２１は、試験者のタッチ操作に応じた所定の処理を行う（ステップＳ１８）。例えば、図４に示した試験信号設定画面５２において、表示画面制御部２１は、ヘルプボタン５１６がタッチされたことを示す信号を操作部１１から入力した場合は、設定情報記憶部２７からヘルプ情報を読み出し、ヘルプ情報を表示部１２に表示する。
【００８１】
前述のステップＳ１３において、試験を開始すると判断した場合は、試験制御装置３０が試験を実行する。具体的には、アプリケーション部３１は選択されたアプリケーションを実行し、試験信号やその他の試験条件等の試験情報を信号送信部３２に出力し、信号送信部３２は試験情報を含めた試験信号を試験対象機器２に出力する（ステップＳ１９）。
【００８２】
試験対象機器２は、試験信号に応答した応答信号を信号受信部３３に出力する。信号受信部３３は、応答信号を受信し（ステップＳ２０）、アプリケーション部３１に出力する。アプリケーション部３１は、応答信号を解析し（ステップＳ２１）、応答信号に含まれる試験結果情報を表示操作制御装置２０経由で試験結果情報記憶部２８に記憶する。
【００８３】
その結果、試験結果表示画面制御部２５は、試験結果情報記憶部２８から試験結果情報を読み出すことにより、試験結果情報を表示部１２に表示可能となる。また、レポート作成画面制御部２６は、試験結果情報記憶部２８から試験結果情報を読み出すことにより、試験結果情報のレポートを作成可能となる。
【００８４】
なお、前述のステップＳ１５、ステップＳ１７、ステップＳ１８、ステップＳ２１の処理の終了後は、ステップＳ１２に戻る。
【００８５】
以上のように、本実施形態における試験装置１は、試験に関する複数の画面を概念的に上下に分類し、アプリケーションを選択するという大きなカテゴリ（第１階層画面）を上側に、選択したアプリケーションに関する詳細な設定を行う小さなカテゴリ（第２階層画面）を下側に分ける構成としたので、操作が容易な試験装置を提供することができる。
【００８６】
また、本実施形態における試験装置１は、アプリケーションを選択した後の試験実行中は、第２階層画面内の画面遷移を行うだけになるので、従来よりも操作が簡潔で分かりやすくなり、多機能になっても操作が容易となる。
【００８７】
また、本実施形態における試験装置１は、従来のもののように、利用者が操作する複数のボタンを配置する必要がないので、表示エリアを従来よりも広くできる。したがって、本実施形態における試験装置１は、試験装置の小型化を図ることもできるので、例えば、片手で持ち他方の手で操作可能な携帯型（ハンドヘルドタイプ）の試験装置を実現することができる。
【００８８】
なお、前述の実施形態において、第１階層画面を上側に、第２階層画面を下側に概念的に分ける構成を例に上げて説明したが、本発明はこれに限定されず、例えば、第１階層画面を左側に、第２階層画面を右側に概念的に分ける構成としてもよい。
【産業上の利用可能性】
【００８９】
以上のように、本発明に係る試験装置及び試験方法は、多機能になっても操作が容易であり、表示エリアを従来よりも広くすることができるという効果を有し、電子機器を試験する試験装置及び試験方法として有用である。
【符号の説明】
【００９０】
１  試験装置
２  試験対象機器
１０  タッチパネル
１１  操作部（操作手段）
１２  表示部（表示手段）
２０  表示操作制御装置
２１ａ  階層間画面切替部（階層間画面切替手段）
２１ｂ  階層内画面切替部（階層内画面切替手段）
２１  表示画面制御部
２２  アプリケーション選択画面制御部
２３  試験信号設定画面制御部
２４  試験条件設定画面制御部
２５  試験結果表示画面制御部
２６  レポート作成画面制御部
２７  設定情報記憶部
２８  試験結果情報記憶部
３０  試験制御装置
３１  アプリケーション部
３２  信号送信部
３３  信号受信部
４１、５１、６１  アプリケーション選択画面
４２、５２、６２  試験信号設定画面
４３、５３、５６、６３  試験条件設定画面
４４、５４、６４  試験結果表示画面
４５、５５  レポート作成画面
【図１】
2015158764.tif 000003
【図２】
2015158764.tif 000004
【図３】
2015158764.tif 000005
【図４】
2015158764.tif 000006
【図５】
2015158764.tif 000007
【図６】
2015158764.tif 000008
【図７】
2015158764.tif 000009
【図８】
2015158764.tif 000010
【図９】
2015158764.tif 000011
【図１０】
2015158764.tif 000012
【図１１】
2015158764.tif 000013
【図１２】
2015158764.tif 000014
【図１３】
2015158764.tif 000015